(57)【特許請求の範囲】
【請求項１】
遊技盤の前面に沿って装飾体を昇降自在に支持するために、前記装飾体の両側方に夫々一基ずつ配置される昇降ユニットであって、
前記昇降ユニットは、前記遊技盤に対して固定配置されたベース部材と、該ベース部材により支持され、且つその出力軸を前記遊技盤面と直交する方向に突出させた駆動モータと、該駆動モータの出力軸に固定されて回転駆動される駆動ギヤと、該駆動ギヤと噛合し、且つ前記遊技盤面と直交する軸を中心として回転する従動ギヤと、該従動ギヤの背面の偏心位置から後方へ向けて前記遊技盤面と直交する方向に突設した支持軸によって一端部を回動自在に軸支されて垂直な面内で揺動するリンク部材と、一端部を前記装飾体によって回動自在に軸支されると共に他端部を前記ベース部材によって上下方向へ揺動自在に軸支されることにより垂直な面内で揺動するアームと、を備え、
前記リンク部材の他端部を前記アームの他端部寄りの適所に回動自在に軸支し、前記駆動モータを正逆回転させることにより前記アームを揺動駆動することを特徴とする装飾体昇降ユニット。
【請求項２】
前記アームの一端部は、前記装飾体に設けた長穴によって横方向へ進退自在に軸支されていることを特徴とする請求項１に記載の装飾体昇降ユニット。
【請求項３】
前記装飾体にはモータ、又は／及び、プリント基板が少なくとも搭載されていることを特徴とする請求項１又は２に記載の装飾体昇降ユニット。
【請求項４】
請求項１乃至３の何れか一項に記載の装飾体昇降ユニットを備えたことを特徴とする遊技盤。
【請求項５】
請求項４に記載の遊技盤を備えたことを特徴とするパチンコ遊技機。
【発明の詳細な説明】
【技術分野】
【０００１】
本発明は、パチンコ遊技機を構成する遊技盤面上において重量物としての装飾体を昇降動作させることによって遊技進行上特徴的な演出効果を発揮させることができるようにした装飾体昇降ユニット、遊技盤、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
【０００３】
例えば、特許文献１には、遊技盤前面に昇降自在に配置した演出部材が、一定の遊技状態になると図柄表示装置の表示内容に連動して長いストロークで瞬時に昇降動作するようにした役物機構が開示されている。この役物機構は、モータ、ギヤ、回転板、アーム等から成り、演出部材を上昇させる際にはモータからの駆動力を利用するが、演出部材を下降させる際にはモータからの駆動力を遮断して自重により落下させる構成を採用している。
演出部材に可動部品、モータ、ギヤ、発光部品、プリント基板等を搭載して演出効果に多様性をもたせる場合、演出部材の重量が必然的に大きくなる。このような重量物としての演出部材を昇降させるために特許文献１に係る役物機構を採用すると、演出部材の下降時には自重落下することになる。このため、演出部材の下降時に役物機構を構成するギヤ、回転板、アーム等に大きな負荷が繰り返し加わり、耐久性が低下し易くなる。
【０００４】
また、一つのモータによって重量物としての演出部材を昇降動作させるためには出力の大きい大型モータを使用する必要があり、役物機構が大型化してレイアウト上の制限をもたらす。いずれにしても単一のモータを利用した場合、演出部材の重量にモータ出力が対応できない状況が出現し易く、演出部材の昇降動作におけるスピード感、躍動感が低下せざるを得ないという問題がある。
また、特許文献１の演出部材は遊技盤面の中央上部位置にて昇降し、上昇時には目隠し板の背面側に隠蔽される構造であるため、役物機構を演出部材の背面側に配置したとしても役物機構を隠蔽して遊技者から見えなくする方法は幾らでも案出できる。
しかし、演出部材が昇降する経路の背面側に大型可変表示装置が配置されている場合等々、役物機構を隠蔽する方法がない場合には、特許文献１に係る役物機構を採用することは困難である。
【特許文献１】特開２００７−７０５７公報
【発明の開示】
【発明が解決しようとする課題】
【０００５】
以上のように従来の演出部材を昇降させる機構は、下降時には演出部材を自重で落下させていたため、演出部材が重量化すればするほど耐久性が低下し、故障が発生する虞があった。また、単一のモータによって駆動する場合には重量物としての演出部材の速度が低下するため、スピード感、躍動感を求める遊技者の要求を十分に満たすことができなかった。また、演出部材の背面側に昇降機構を隠蔽して配置できない場合には、このような昇降機構を採用することが困難であった。
本発明は上記に鑑みてなされたものであり、昇降機構の耐久性を低下させることなく、遊技盤の前面に沿って重量物としての装飾体を迅速に昇降動作させることにより遊技進行上特徴的な演出効果を発揮させることができ、しかも装飾体の背面側に可変表示装置等の障害物がある場合であっても昇降機構を効率よくレイアウトすることができる装飾体昇降ユニット、遊技盤、及びパチンコ遊技機を提供するものである。
【課題を解決するための手段】
【０００６】
上記目的を達成するため、請求項１の発明に係る装飾体昇降ユニットは、遊技盤の前面に沿って装飾体を昇降自在に支持するために、前記装飾体の両側方に夫々一基ずつ配置される昇降ユニットであって、前記昇降ユニットは、前記遊技盤に対して固定配置されたベース部材と、該ベース部材により支持され、且つその出力軸を前記遊技盤面と直交する方向に突出させた駆動モータと、該駆動モータの出力軸に固定されて回転駆動される駆動ギヤと、該駆動ギヤと噛合し、且つ前記遊技盤面と直交する軸を中心として回転する従動ギヤと、該従動ギヤの背面の偏心位置から後方へ向けて前記遊技盤面と直交する方向に突設した支持軸によって一端部を回動自在に軸支されて垂直な面内で揺動するリンク部材と、一端部を前記装飾体によって回動自在に軸支されると共に他端部を前記ベース部材によって上下方向へ揺動自在に軸支されることにより垂直な面内で揺動するアームと、を備え、前記リンク部材の他端部を前記アームの他端部寄りの適所に回動自在に軸支し、前記駆動モータを正逆回転させることにより前記アームを揺動駆動することを特徴とする。
２つの昇降ユニットにより装飾体を昇降させると共に、各昇降ユニットが夫々駆動モータを一つずつ有しているため、重量物である装飾体を十分な駆動力によって昇降させることができる。特に下降は自重落下ではなく、下降中一貫して駆動モータからの駆動力がアームを経由して装飾体に加わるので落下の衝撃によって装飾体や昇降ユニットがダメージを受けることがなく、耐久性を高めることができる。
【０００７】
請求項２の発明は、請求項１において、前記アームの一端部は、前記装飾体に設けた長穴によって横方向へ進退自在に軸支されていることを特徴とする。
アームの一端部を装飾体に対して単に回動自在に軸支するのではなく、長穴によって横方向移動可能に支持するので、アームと装飾体との連結部に過大な負荷がかかることがなく、耐久性を高めることができる。
請求項３の発明は、請求項１又は２において、前記装飾体にはモータ、又は／及び、プリント基板が少なくとも搭載されていることを特徴とする。
請求項４の発明に係る遊技盤は、請求項１乃至３の何れか一項に記載の装飾体昇降ユニットを備えたことを特徴とする。
請求項５の発明に係るパチンコ遊技機は、請求項４に記載の遊技盤を備えたことを特徴とする。
【発明の効果】
【０００８】
以上のように本発明では、遊技盤前面に沿って昇降する重量物としての装飾体を左右両側に配置した昇降ユニットによって同期して昇降駆動させるようにしたので、昇降機構の耐久性を低下させることなく、装飾体を迅速に昇降動作させることができる。また、装飾体の背面側に可変表示装置等の障害物がある場合であっても昇降機構を効率よくレイアウトすることができる。
【発明を実施するための最良の形態】
【０００９】
以下、本発明を図面に示した実施の形態により詳細に説明する。
図１は、本発明の実施形態に係るパチンコ遊技機の一例を示した全体正面図である。
この図に示すパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上面には遊技機用ボタンスイッチや、遊技球の購入ボタン、購入取り消しボタンが設けられている。
遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域の周囲には、発射レバー５を操作することにより発射装置から発射された遊技球を遊技領域３の上部に案内したり、アウト口１９に案内する外レールＲ１、及び内レールＲ２が設けられている。
【００１０】
遊技盤３のほぼ中央部には、中央が開口したセンター部材７が配置される。センター部材７の内部には図柄表示装置９が配置されている。図柄表示装置９は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
センター部材７には装飾体３０が設けられている。装飾体３０は、この例では遊技の進行に関与する登場人物（キャラクター）が着用するベルトを象ったものである。
センター部材７の下方には、図柄表示装置９の特別図柄を可変表示させるための可変入賞装置１１が設けられている。また、センター部材７の左側には、普通図柄表示装置１０に表示される普通図柄を作動させるためのゲート１４が設けられている。さらに可変入賞装置１１の下方には、特別遊技状態の一つである大当たり状態のときに開成状態になる開閉扉を有する大入賞口１５が設けられている。
【００１１】
可変入賞装置１１は、図柄表示装置９を可変表示させるための上始動ポケット１３と左右一対の開閉爪（可動片）を有する電動式チューリップ１７とを備えて構成される。
また遊技盤３には普通入賞口１８やアウト口１９等が設けられていると共に、風車や図示しない多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１４が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１４を遊技球が通過したことを条件に乱数制御により普通図柄が所定態様となった場合に、可変入賞装置１１に設けられた電動式チューリップ１７から成る可動片を所定時間、開成動作するように構成されている。
【００１２】
また図柄表示装置９に表示される特別図柄は、停止図柄が予め定められた図柄の組合せ、例えば同一図柄の組合せとなった場合に大当たり状態となるように構成されている。また特別図柄は可変入賞装置１１の上始動ポケット１３又は電動式チューリップ１７の開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１３】
図２は装飾体としてのベルトが下降した状態を示した正面図であり、図３（ａ）及び（ｂ）は装飾体が上昇位置にある状態、及び下降位置にある状態を夫々示す正面側斜視図であり、図４（ａ）及び（ｂ）は装飾体が上昇位置にある状態、及び下降位置にある状態を夫々示す背面側斜視図である。
装飾体３０は、図柄表示装置９のディスプレイ面の横幅よりも少し短い横方向長を有し、その前面には図示しないモータ、ギヤによって回転駆動される風車３１が回転自在に軸支されている。更に、風車３１が回転する際に風車の背面から発光するＬＥＤを搭載したプリント基板が配置されている。モータ、ギヤ、風車、及びプリント基板を搭載した装飾体３０は重量物であり、この装飾体３０は左右両側に一基ずつ配置される昇降ユニット３５の協働によって水平な姿勢を維持しつつ昇降駆動される。
【００１４】
各昇降ユニット３５は、センター部材７の左右両側部７ａ、７ｂ内に隠蔽されて配置されており、左右対称となる構成を有している。
昇降ユニット３５は、センター部材７に固定配置されるベース部材３６と、ベース部材３６により支持された駆動モータ３７と、駆動モータ３７により回転駆動される駆動ギヤ３８と、駆動ギヤ３８と噛合して回転する従動ギヤ３９と、従動ギヤ３９の一面の偏心位置に設けた支持軸３９ａによって一端部４０ａを回動自在に軸支された棒状のリンク部材４０と、一端部４１ａを装飾体の背面側適所により回動自在に軸支されると共に他端部４１ｂをベース部材３６に設けた揺動軸３６ａによって上下方向へ揺動自在に軸支されたアーム４１と、を備えている。
【００１５】
リンク部材４０の他端部４０ｂをアーム４１の軸支部４１ｃにて回動自在に軸支し、駆動モータ３７を正逆回転させてアーム４１を揺動駆動することにより、アーム４１の一端部に支持された装飾体３０を昇降させることができる。左右に配置された両昇降ユニット３５を同期して昇降駆動させることにより装飾体３０を水平な姿勢を維持しつつ昇降させることができる。両昇降ユニット３５を同期させる手段は図示しない制御手段であり、制御手段が各昇降ユニットを構成する駆動モータを同期して制御することにより実現される。また、本発明では、各昇降ユニットが駆動モータを有しているため、重量物である装飾体を十分な駆動力によって昇降させることができる。特に下降は自重落下ではなく、下降中一貫して駆動モータからの駆動力がアームを経由して装飾体に加わるので落下の衝撃によって装飾体や昇降ユニットがダメージを受けることがなく、耐久性を高めることができる。
リンク部材４０の他端部４０ｂを支持する軸支部４１ｃは、可能な限りアーム４１の他端部４１ｂ寄りに設定することにより、駆動ギヤ３８の回転に伴ってリンク部材４０が揺動する際にリンク部材の一部がセンター部材７の中央開口部内に突出して前方から視認されることが防止される。
【００１６】
アーム４１の一端部４１ａに設けたピン４２は、装飾体３０の背面に設けた横長の長穴３２内に遊嵌することによりアーム４１に対する装飾体の横方向移動を可能としている。これにより、装飾体の昇降動作時にアーム４１と装飾体との連結部に過大な負荷がかかることを防止し、装飾体の昇降動作を円滑化している。
駆動モータ３７の出力軸に一体化された駆動ギヤ３８が図３（ａ）、図４（ａ）の状態にある時にこれと噛合する従動ギヤ３９の支持軸３９ａは上方に位置しているため、支持軸３９ａにより一端部を支持されたリンク部材４０はアーム４１を引き上げた状態にある。アーム４１は軸支部４１ｃに上方へ引き上げる力が作用することにより、揺動軸３６ａによって軸支された他端部４１ｂを中心として一端部４１ａを上昇させる。
【００１７】
通常時、装飾体３０は図３（ａ）、図４（ａ）に示した上昇位置にあって停止している。制御手段から両駆動モータ３７に対して下降方向への駆動開始信号が出力されると、両駆動モータ３７に通電されて、各駆動ギヤ３８、各従動ギヤ３９、各リンク部材４０、各アーム４１に下降方向への駆動力が伝達され、装飾体３０が下降する。装飾体３０が下降し切ると両駆動モータ３７への通電が遮断されて停止する。制御手段から上昇方向への駆動を指示する信号が出力されると、両駆動モータ３７に通電されて逆回転を開始し、各駆動ギヤ３８、各従動ギヤ３９、各リンク部材４０、各アーム４１に上昇方向への駆動力が伝達され、装飾体３０が上昇する。両昇降ユニット３５に設けたスイッチＳＷは各アーム４１に設けた被検知部を検知した時に作動して制御手段へ検知信号を出力し、制御手段はこの検知信号に基づいて駆動モータへの通電を遮断する。
【００１８】
本発明においては、昇降ユニット３５を構成する大半の部材をセンター部材の左右両側部７ａ、７ｂの裏側に隠蔽するようにしているが、装飾体３０に一端を軸支したアーム４１だけは装飾体の左右側縁とセンター部材の左右両側部７ａ、７ｂの内側端縁との間の空間から僅かに視認できる。このように必要最小限の構成要素がセンター部材の中央開口部内に見え隠れするに過ぎないので、遊技者の興趣を低下させることもない。
なお、パチンコ遊技機の詳細な構成については図示説明していないが、本願発明の技術的範囲中にパチンコ遊技機、及び遊技盤が含まれることに疑いがない。
【図面の簡単な説明】
【００１９】
【図１】本発明の実施形態に係るパチンコ遊技機の一例を示した全体正面図である。
【図２】装飾体としてのベルトが下降した状態を示した正面図である。
【図３】（ａ）及び（ｂ）は装飾体が上昇位置にある状態、及び下降位置にある状態を夫々示す正面側斜視図である。
【図４】（ａ）及び（ｂ）は装飾体が上昇位置にある状態、及び下降位置にある状態を夫々示す背面図である。
【符号の説明】
【００２０】
１…パチンコ遊技機、３…遊技盤、４…皿部、５…発射レバー、７…センター部材、７ａ、７ｂ…左右両側部、１０…普通図柄表示装置、１１…可変入賞装置、１３…上始動ポケット、１４…ゲート、１５…大入賞口、１７…電動式チューリップ、１８…普通入賞口、１９…アウト口、３０…装飾体、３１…風車、３２…長穴、３５…昇降ユニット、３６…ベース部材、３６ａ…揺動軸、３７…駆動モータ、３８…駆動ギヤ、３９…従動ギヤ、３９ａ…支持軸、４０…リンク部材、４０ａ…一端部、４０ｂ…他端部、４１…アーム、４１ａ…一端部、４１ｂ…他端部、４１ｃ…軸支部、４２…ピン。
【図１】
0004588050.tif 000002
【図２】
0004588050.tif 000003
【図３】
0004588050.tif 000004
【図４】
0004588050.tif 000005